(57)【要約】【課題】和装時における着用者のウエスト部分について、その体型補整を行うとともに体温の上昇を抑制し、夏期着用などに際しての暑さを低減すること。【解決手段】和服の下に補整のために着用する和装用の補整下着であって、胴部に巻き付けるように帯状に形成された帯状本体５を有し、帯状本体５には、帯状本体５の着用者の背中部分に当接する位置に第１の保冷剤ＨＲ１を収納するための第１の袋体２１が設けられ、左側の腰部分に当接する位置に第２の保冷剤ＨＲ２を収納するための第２の袋体２２が設けられ、右側の腰部分に当接する位置に第３の保冷剤ＨＲ３を収納するための第３の袋体２３が設けられてなる。【選択図】図１
2015017345.tif 000002
【特許請求の範囲】
【請求項１】
和服の下に補整のために着用する和装用の補整下着であって、
胴部に巻き付けるように帯状に形成された帯状本体を有し、
前記帯状本体には、前記帯状本体の着用者の背中部分および左右の腰部分にそれぞれ当接する位置に保冷剤を収納するための袋体が設けられてなる、
ことを特徴とする和装用の補整下着。
【請求項２】
和服の下に補整のために着用する和装用の補整下着であって、
胴部に巻き付けるように帯状に形成された帯状本体を有し、
前記帯状本体には、前記帯状本体の着用者の背中部分に当接する位置に第１の保冷剤を収納するための第１の袋体が設けられ、前記着用者の左側の腰部分に当接する位置に第２の保冷剤を収納するための第２の袋体が設けられ、前記着用者の右側の腰部分に当接する位置に第３の保冷剤を収納するための第３の袋体が設けられてなる、
ことを特徴とする和装用の補整下着。
【請求項３】
前記第１の袋体は、外形が長辺と短辺を有する長方形である前記第１の保冷剤の長辺が胴部の周方向に沿うように収納可能であり、
前記第２の袋体および前記第３の袋体は、外形が長辺と短辺を有する長方形である前記第２の保冷剤および前記第３の保冷剤の短辺が胴部の周方向に沿うように収納可能である、
請求項２記載の和装用の補整下着。
【請求項４】
前記帯状本体は、帯状部、および前記帯状部に取り付けられて前記着用者のヒップの上方部に当てるための当てパッドを備える、
請求項２または３記載の和装用の補整下着。
【請求項５】
前記第１の袋体は、前記当てパッドに設けられている、
請求項４記載の和装用の補整下着。
【請求項６】
前記当てパッドは前記帯状部に着脱可能に取り付けられている、
請求項４または５記載の和装用の補整下着。
【請求項７】
前記第１の袋体、前記第２の袋体、および前記第３の袋体は、いずれも、その内側は吸湿性の良好なタオル地によって形成されている、
請求項２ないし６のいずれかに記載の和装用の補整下着。
【請求項８】
前記第１の袋体と前記第２の袋体、および前記第１の袋体と前記第３の袋体とのそれぞれの間には、前記着用者が着用したときに空気が上下方向に流通可能な凹部が設けられている、
請求項２ないし７のいずれかに記載の和装用の補整下着。
【請求項９】
前記第２の袋体および前記第３の袋体は、長辺方向における中央部が端部よりも厚く形成された前記第２の保冷剤および前記第３の保冷剤を収納可能である、
請求項２ないし８のいずれかに記載の和装用の補整下着。
【請求項１０】
前記第１の袋体、前記第２の袋体、および前記第３の袋体は、それぞれ、複数のサブ袋体からなっており、
各サブ袋体の間には、前記着用者が着用したときに空気が上下方向に流通可能な凹部が設けられている、
請求項２記載の和装用の補整下着。
【請求項１１】
請求項１ないし１０のいずれかに記載の和装用の補整下着と、
前記第１の袋体、前記第２の袋体、または前記第３の袋体に収納された前記第１の保冷剤、前記第２の保冷剤、および前記第３の保冷剤と、
を有する和装用の補整冷却下着。
【請求項１２】
前記第１の保冷剤、前記第２の保冷剤、および前記第３の保冷剤は、いずれも、融点が１０℃ないし３０℃の蓄熱剤を含む、
請求項１１記載の和装用の補整冷却下着。
【請求項１３】
和装用の補整下着に収納されて当該補整下着の着用者の体温の上昇を抑制するための保冷剤であって、
外形が長辺と短辺を有する長方形であり、
長辺方向における中央部が端部よりも厚く形成されてなる、
ことを特徴とする和装用の補整冷却下着用の保冷剤。
【請求項１４】
融点が１０℃ないし３０℃の蓄熱剤を含む、
請求項１３記載の和装用の補整冷却下着用の保冷剤。
【発明の詳細な説明】
【技術分野】
【０００１】
本発明は、和装用の補整下着、補整冷却下着、および補整冷却下着用の保冷剤に関する。
【背景技術】
【０００２】
女性が和服（着物）を着用する際には、着物の下に、和装用の肌襦袢および長襦袢を着用する他、紐、伊達巻、帯、ウエストパッド、ヒップパッド、胸部巻き付け用の晒布、和装ブラジャーなどの下着や小物を用い、体型を整えて和装姿を美しく見せるようにし、また着くずれを起こさないようにするのが一般的である。
【０００３】
このように和装では多くの下着を着用するので、冬季などは暖かくて快適であるのだが、夏期においては着用者が暑く感じることがある。
【０００４】
和服の着用の際の汗を吸収するために、補正下着の左右の前身頃と両脇下部分にポケットを設け、ポケットに吸水性シートを収納して和服の着用者から出る汗を吸収することが提案されている（特許文献２）。
【０００５】
また、暑い日に涼しく過ごせるように、帽子やチョッキなどにポケットを設けておき、ポケットに保冷剤を収納することが提案されている（特許文献３、４）。
【先行技術文献】
【特許文献】
【０００６】
【特許文献１】特開２０００−１１０００１号公報
【特許文献２】特開２００６−１５６６７号公報
【特許文献３】特開平１１−１０７７０２７号公報
【特許文献４】特開２００３−５５８１１号公報
【発明の概要】
【発明が解決しようとする課題】
【０００７】
上に述べたように、従来において、和服を着用し場合に夏期においては着用者が暑く感じることがある。特にエアコンディショナーによる冷房が施されていない野外などにおいては、和服を着用して長時間にわたるイベントなどに出席することは厚さのため大変であった。
【０００８】
特許文献２において提案された従来の吸水性シートを用いる方法では、脇下などの汗を吸収してべたつき感を低減する効果はあるが、着用者の体温の上昇を抑制して暑さを低減するまでの効果はない。
【０００９】
特許文献３、４において提案された従来の帽子やチョッキなどは、ポケットに収納した保冷剤によって頭部、胸部周囲、または脇部などの体温の上昇を抑制することには効果があるが、これらは洋装用であり、そのままでは和装用に適用できない。
【００１０】
特に、和装時には、胴体の体型が寸胴状となるようにウエスト部分に晒布やパッドを当てて体型補整を行うので、ウエスト部分の体温が上昇し易いという問題がある。
【００１１】
本発明は、上述の問題に鑑みてなされたもので、和装時における着用者のウエスト部分について、その体型補整を行うとともに体温の上昇を抑制し、夏期着用などに際しての暑さを低減することを目的とする。
【課題を解決するための手段】
【００１２】
本発明によって提案される和装用の補整下着の一例は、胴部に巻き付けるように帯状に形成された帯状本体を有し、前記帯状本体には、前記帯状本体の着用者の背中部分および左右の腰部分にそれぞれ当接する位置に保冷剤を収納するための袋体が設けられてなる。
【発明の効果】
【００１３】
本発明によると、和装時における着用者のウエスト部分について、その体型補整を行うとともに体温の上昇を抑制し、夏期着用などに際しての暑さを低減することができる。
【図面の簡単な説明】
【００１４】
【図１】本発明に係る第１の実施形態の和装用の補整下着を示す図である。
【図２】図１のＡＡ−ＡＡ線およびＢＢ−ＢＢ線による矢視断面図である。
【図３】保冷剤の形状の例を示す図である。
【図４】補整下着を装着したときの状態を背中側および上側から見た図である。
【図５】補整下着を装着したときの状態を上側から見た拡大断面図である。
【図６】保冷剤の他の形状の例を示す断面図である。
【図７】本発明に係る第２の実施形態の和装用の補整下着を示す図である。
【図８】図７の補整下着を装着したときの状態を上側から見た拡大断面図である。
【図９】第２の実施形態で用いる保冷剤の形状の例を示す図である。
【発明を実施するための形態】
【００１５】
〔第１の実施形態〕
図１には本発明に係る第１の実施形態の和装用の補整下着１が示されている。図１（Ａ）は上面図、図１（Ｂ）は正面図、図１（Ｃ）は背面図である。図２には、図１に示す補整下着１の袋体の部分の断面が拡大して示されている。図３には、保冷剤の形状の例が示されている。また、図４には、補整下着１を装着したときの状態を背中側および上側から見た図が、図５には補整下着１を装着したときの状態を上側から見た拡大断面図が、それぞれ示されている。
【００１６】
図１〜図５において、補整下着１は、和服の下に補整のために着用するものであり、胴部特にウエスト部分に巻き付けるように帯状に形成された帯状本体５を有する。
【００１７】
帯状本体５は、帯状部１１、および帯状部１１に取り付けられて着用者ＴＳのヒップＨＰの上方部に当てるための当てパッド１２を備える。
【００１８】
帯状本体５には、帯状本体５の着用者ＴＳの背中部分ＳＮおよび左右の腰部分ＫＳにそれぞれ当接する位置に、保冷剤ＨＲ１〜３を収納するための袋体２１〜２３が設けられる。
【００１９】
つまり、帯状本体５には、背中部分ＳＮに当接する位置に第１の保冷剤ＨＲ１を収納するための第１の袋体２１が設けられ、着用者の左側の腰部分ＫＳに当接する位置に第２の保冷剤ＨＲ２を収納するための第２の袋体２２が設けられ、着用者の右側の腰部分ＫＳに当接する位置に第３の保冷剤ＨＲ３を収納するための第３の袋体２３が設けられる。
【００２０】
本実施形態で使用される第１〜第３の保冷剤（蓄冷剤）ＨＲ１〜３は、互いに同じ形状であり、図３に示すように、外形が長辺と短辺を有する長方形の板状体である。つまり、ここで用いられる保冷剤ＨＲは、幅Ｗ１、高さＨ１、厚さＤ１を有する板状体である。
【００２１】
保冷剤ＨＲ１の寸法は、例えば、幅Ｗ１が７〜１５センチメートル程度、高さＨ１が５〜１０センチメートル程度、厚さＤ１が１〜２センチメートル程度である。
【００２２】
保冷剤ＨＲは、高分子ポリマーや高吸水性ポリマーなどの蓄熱剤を合成樹脂フィルムまたはアルミ箔などで包装したものである。保冷剤ＨＲは、蓄熱剤の融解温度が体温よりも低くなるように、例えば１０〜３０℃程度の範囲、さらには２０〜３０℃程度の範囲となるように設定する。具体的には、例えば、２５℃程度、または２７℃程度、または２８℃程度、または２０℃程度に設定する。
【００２３】
このような保冷剤ＨＲとして、日本ブロアー社が販売する「ＰＣＭパック」、またはアイスジャパン社が販売する「チルテイン蓄熱剤プラス温度タイプ」などを用いることが可能である。
【００２４】
第１の袋体２１は、保冷剤ＨＲ１の長辺が胴部の周方向に沿うように収納可能である。つまり、第１の袋体２１は、横方向（周方向）に長く形成される。
【００２５】
第２の袋体２２および第３の袋体２３は、保冷剤ＨＲ２、３の短辺が胴部の周方向に沿うように収納可能である。つまり、第２および第３の袋体２２、２３は、縦方向（鉛直方向）に長く形成される。
【００２６】
第１の袋体２１は帯状部１１に設けられ、第２および第３の袋体２２、２３は当てパッド１２に設けられる。当てパッド１２は、帯状部１１の長手方向のほぼ中央部において、帯状部１１の下方に突出するように配置される。
【００２７】
本実施形態においては、帯状部１１と当てパッド１２とは互いに縫い付けられて一体化されているが、これらを互いに着脱可能としてもよい。着脱可能とする場合には、例えばマジックテープ（登録商標）のような面ファスナーなどを用いることが可能である。
【００２８】
第１〜第３の袋体２１〜２３は、いずれも、その内側は吸湿性の良好なタオル地によって形成される。第１の袋体２１と第２の袋体２２、および第１の袋体２１と第３の袋体２３とのそれぞれの間には、着用者が着用したときに空気が上下方向に流通可能な凹部３１が設けられる。
【００２９】
以下、さらに詳しく説明する。
【００３０】
図１において、帯状部１１は、着用者である女性の胴部（ウエスト部分）に巻き付けられるものであり、例えば、幅が１０〜２０センチメートル程度、より具体的には例えば１５センチメートル程度、長さが７０〜１２０センチメートル程度、より具体的には例えば８０センチメートル程度である。これより長くてもよい。
【００３１】
当てパッド１２は、帯状部１１の下方に突出してはみ出るように、縦方向の寸法を帯状部１１の幅よりも大きくしておく。当てパッド１２の上には、当てパッド１２の外側には、和服の上から締める帯が載るので、当てパッド１２の横方向の寸法をその帯の幅よりも小さくしておけばよい。
【００３２】
帯状部１１および当てパッド１２は、いずれも布地またはタオル地などを主な材料とし、縫製などによって形成される。
【００３３】
例えば、晒布または綿布などを表地とし、タオルまたは浴布などを裏地として、これらを縫い合わせて一体化する。さらに、一体化したものを裏地側が内側になるようにして長手方向の中央線に沿って半分に折り返し、合わせ目を縫い合わせる。このとき、第１〜第３の袋体２１〜２３に相当する部分は、その縁部を縫い合わせることなく、保冷剤ＨＲを出し入れ可能なように開口部２５、２６としておく。さらに、保冷剤ＨＲが収納できるようなスペースを確保した状態で、開口部２５、２６以外の周囲の部分を縫い合わせて袋体２１〜２３とする。
【００３４】
なお、開口部２５、２６に適当な形状のファスナーなどを取り付けて開閉可能としておいてもよい。
【００３５】
図２（Ａ）（Ｂ）において、帯状部１１は、晒布または綿布などからなる表地１１ａと、タオルまたは浴布などからなる裏地１１ｂとが縫い合わされており、図２（Ａ）に示すように、着用者ＴＳの右側の腰部分ＫＳに当接する位置に第３の袋体２３が設けられている。また、着用者ＴＳの左側の腰部分ＫＳに当接する位置に第２の袋体２２が設けられる。
【００３６】
また、当てパッド１２は、晒布または綿布などからなる表地１２ａと、タオルまたは浴布などからなる裏地１２ｂとが縫い合わされており、図２（Ｂ）に示すように、着用者ＴＳの背中部分ＳＮに当接する位置に第１の袋体２１が設けられている。
【００３７】
なお、帯状部１１の表地１１ａおよび裏地１１ｂ、当てパッド１２の表地１２ａおよび裏地１２ｂのそれぞれの厚さは、種々適当な厚さとすればよい。例えば、それぞれ２枚または３枚など、多数枚を重ね合わせたものを用いてもよい。
【００３８】
図１において、帯状部１１の端部の表裏には、面ファスナー１３の一方１３ａとその相手方１３ｂが縫い付けられており、着用者ＴＳに装着するときに、胴部に巻き付けた後、面ファスナー１３によって長さ調整を行って固定することができる。
【００３９】
なお、面ファスナー１３の種類、サイズ、個数などは、種々変更可能である。また、面ファスナー１３に代えて、紐を用いて補整下着１の全体を固定することも可能である。その場合には、帯状部１１の端部に適当な長さの紐を取り付けておき、胴部に巻き付けた後で紐を結ぶようにすればよい。
【００４０】
本実施形態の補整下着１によれば、着用者ＴＳに対して、帯状本体５を胴部に巻き付けることによって、和装時における着用者ＴＳのウエスト部分について、その体型補整を行うことができる。
【００４１】
背中部分ＳＮおよび左右の腰部分ＫＳに保冷剤ＨＲ１〜３が配置されて当接することになるので、これらの部分の体温の上昇が抑制され、夏期着用などに際しての暑さが低減される。
【００４２】
第１〜第３の保冷剤ＨＲ１〜３は、保冷部材であると同時に補整のための部材ともなるので、冷却と補整とが兼用され、和服の着付けに際しての手間が複雑にはならない。
【００４３】
すなわち、和服を着用するときは、特にウエストの周辺について補整のために多くの布などを巻き付けるので、ウエストの周辺の体温が上昇し易い。本実施形態の補整下着１を用いることにより、体型の補整と同時にウエストの部分の体温の上昇を抑制することができ、夏期における和服の着用が快適なものとなる。
【００４４】
第１〜第３の保冷剤ＨＲ１〜３は、腰部分ＫＳの括れに旨く嵌まり込んで和服を着たときのシルエットを美しく見せるとともに、使用の当初は個体であるのでコルセットに類似の役目によって良い姿勢の保持も期待できる。
【００４５】
第１〜第３の保冷剤ＨＲ１〜３はいずれも同じ形状であるので、管理が容易である。しかも、第１の保冷剤ＨＲ１は背中部分ＳＮに横方向に配置され、第２および第３の保冷剤ＨＲ２、３は腰部分ＫＳに縦方向に配置されるので、補整と冷却とが適切に行われる。
【００４６】
補整下着１を装着したときに、着用者ＴＳの左右の腰部分ＫＳと背中部分ＳＮとの間に凹部３１が形成されるので、凹部３１を空気が上下方向に流通可能となり、着用者ＴＳはより涼しく感じることができる。
【００４７】
帯状部１１と当てパッド１２とを着脱可能とした場合は、サイズの異なる種々のものを組み合わせて用いることができ、種々の体型の着用者ＴＳにも適応が容易である。
【００４８】
なお、保冷剤ＨＲは、当初は個体であるが、使用によって温度が上昇しやがて融解してゾル状となる。その間において周囲の熱を吸収して体温の上昇を抑制する。ゾル状となった保冷剤ＨＲは、融解温度以下で保管しておくことによってゲル化して個体となる。その際に、保冷剤ＨＲを平坦面上に置いておくか、または体型に沿った形状の面の上に置いておけばよい。つまり、保冷剤ＨＲは板状体であるというものの、ゲル化のための保管方法によってその形状を種々変えることが可能である。
【００４９】
また、補整下着１を長時間にわたって着用すると保冷剤ＨＲが融解して温度が上昇するが、その場合に、着用者ＴＳが汗をかいた場合に、その汗は帯状部１１および当てパッド１２によって吸収されることとなり、着用者ＴＳの不快感を緩和することができる。
【００５０】
上の実施形態で用いた保冷剤ＨＲ１は板状体であったが、これ以外の種々の形状のものを用いることができる。
【００５１】
図６には保冷剤ＨＲの他の形状の例を示す断面図が示されている。
【００５２】
図６において、保冷剤ＨＲ４は、着用者ＴＳの腰部分ＫＳの括れに沿うよう、長辺方向における中央部ＴＢが端部ＮＢよりも厚く形成され、かつ腰部分ＫＳに対向する側（内側）の表面がなだらかな曲線を描くように形成されている。外側の表面はほぼ平面状である。
【００５３】
この保冷剤ＨＲ４を用いた場合は、着用者ＴＳの腰部分ＫＳの括れにより旨く嵌まり込んで和服を着たときのシルエットを美しく見せることができる。
【００５４】
しかも、保冷剤ＨＲ４によると、保冷剤ＨＲ４の容量を大きくすることができるので、熱容量が大きくなり、保冷効果が長く持続する。
〔第２の実施形態〕
次に第２の実施形態の補整下着１Ｂについて説明する。
【００５５】
第２の実施形態の補整下着１Ｂについては、第２の実施形態の補整下着１との相違部分のみについて説明し、同様な機能を有する部分については説明を省略しまたは簡略化する。
【００５６】
図７には本発明に係る第２の実施形態の和装用の補整下着１Ｂが示されている。また、図８には、補整下着１Ｂを装着したときの状態を上側から見た拡大断面図が示されている。また、図９には第２の実施形態で用いる保冷剤ＨＲ５の形状の例が示されている。
【００５７】
図７および図８において、補整下着１Ｂは、帯状本体５Ｂを有する。帯状本体５Ｂは、帯状部１１Ｂ、および帯状部１１Ｂに取り付けられて着用者ＴＳのヒップＨＰの上方部に当てるための当てパッド１２Ｂを備える。
【００５８】
帯状本体５Ｂには、帯状本体５Ｂの着用者ＴＳの背中部分ＳＮおよび左右の腰部分ＫＳにそれぞれ当接する位置に保冷剤ＨＲ５を収納するための第１の袋体２１Ｂ、第２の袋体２２Ｂ、および第３の袋体２３Ｂが設けられる。第１〜第３の袋体２１Ｂ〜２３Ｂは、それぞれ、複数のサブ袋体２１Ｓ、２２Ｓ、２３Ｓからなっている。
【００５９】
図９に示すように、保冷剤ＨＲ５は、丸棒状である。保冷剤ＨＲ５は、サブ袋体２１Ｓ、２２Ｓ、２３Ｓに対して共通に用いられる。したがって、サブ袋体２１Ｓ、２２Ｓ、２３Ｓは、互いに同じ形状であってよい。
【００６０】
各サブ袋体２１Ｓ、２２Ｓ、２３Ｓの間には、着用者ＴＳが着用したときに空気が上下方向に流通可能な凹部３２が設けられている。
【００６１】
したがって、補整下着１Ｂを着用したときに、背中部分ＳＮおよび左右の腰部分ＫＳに保冷剤ＨＲ５が配置されて当接することになるので、これらの部分の体温の上昇が抑制される。しかも、補整下着１Ｂを装着したときに、腰回りの各所に凹部３１、３２が形成され、そこを空気が上下方向に流通可能となるので、着用者ＴＳはより涼しく感じることができる。
【００６２】
なお、保冷剤ＨＲ５の形状は、三角柱状、四角柱状、六角柱状、楕円柱状、その他の形状としてもよい。
【００６３】
上に述べた実施形態において、補整下着１，１Ｂに保冷剤ＨＲを収納した状態が、補整冷却下着である。つまり、補整冷却下着は、そのまま着用して体型の補整と冷却とを行うことができる。
【００６４】
上に述べた実施形態において、帯状部１１、１１Ｂおよび当てパッド１２、１２Ｂに用いる材料は上に述べた以外に種々変更することができる。それらの形状または構造についても種々変更することができる。帯状部１１、１１Ｂと当てパッド１２、１２Ｂとを当初から一体的に形成することもできる。また、当てパッド１２、１２Ｂのない形状とすることも可能である。
【００６５】
保冷剤ＨＲの形状、サイズ、融解温度、使用する個数などは、上に述べた以外に種々変更することができる。保冷剤ＨＲを配置する位置に応じて、保冷剤ＨＲの融解温度を異ならせてもよい。
【００６６】
また、第１〜第３の袋体２１〜２３以外に、別の袋体を設けて保冷剤ＨＲを収納するようにしてもよい。例えば、着用者ＴＳの腹の部分に当接する位置に袋体を設け、そこに保冷剤ＨＲを収納するようにしてもよい。その場合に、腹の部分に当接する位置に収納する保冷剤ＨＲの融解温度を他の保冷剤ＨＲよりも高めに設定し、腹が冷えすぎないようにするのが好ましい。また、腹のみではなく他の部分についても、帯状部１１または当てパッド１２の生地の厚さを調整して保冷効果の程度を調整するようにしてもよい。
【００６７】
上に述べた実施形態において、帯状部１１および当てパッド１２は、晒布または綿布などを表地としタオルまたは浴布などを裏地としたが、これらを逆にしてもよい。例えば、タオルまたは浴布などを表地とし、晒布または綿布などを裏地としてもよい。このようにすれば、表地によって汗を直接に吸収することが可能になる。
【００６８】
また、帯状部１１および当てパッド１２の材料として、紙オムツなどに用いられている材料を用いることも可能である。例えば、合成繊維、高吸収性ポリマー、不織布などを用いることも可能である。また、これらの材料などを用いることにより、帯状部１１または当てパッド１２、または補整下着１の全体を、使い捨てとすることも可能である。
【００６９】
その他、袋体２１〜２３、サブ袋体２１Ｓ、２２Ｓ、２３Ｓ、帯状本体５、５Ｂ、または補整下着１，１Ｂの全体または各部の構成、構造、形状、サイズ、個数、配置などは、本発明の主旨に沿って適宜変更することができる。
【符号の説明】
【００７０】
１，１Ｂ  補整下着
５，５Ｂ  帯状本体
１１，１１Ｂ  帯状部
１２，１２Ｂ  当てパッド
１３  面ファスナー
２１  第１の袋体
２２  第２の袋体
２３  第３の袋体
２１Ｓ、２２Ｓ、２３Ｓ  サブ袋体
３１、３２  凹部
ＨＲ１  第１の保冷剤
ＨＲ２  第２の保冷剤
ＨＲ３  第３の保冷剤
ＨＲ４〜５  保冷剤
ＴＳ  着用者
ＳＮ  背中部分
ＫＳ  腰部分
【図１】
2015017345.tif 000003
【図２】
2015017345.tif 000004
【図３】
2015017345.tif 000005
【図４】
2015017345.tif 000006
【図５】
2015017345.tif 000007
【図６】
2015017345.tif 000008
【図７】
2015017345.tif 000009
【図８】
2015017345.tif 000010
【図９】
2015017345.tif 000011